(57)【要約】  【課題】  再生される動画から所望の静止画を抽出して、抽出した静止画を記録及び再生に関するＤＣＦ規格に従って記録することを可能とする。  【解決手段】  時系列の複数の静止画からなる動画を再生して、前記複数の静止画から所望の静止画を抽出する静止画抽出装置に、動画の再生中に指定ボタン５ｄが押された場合、指定ボタン５ｄが押された瞬間の前後の複数の静止画を縮小して並置した並置画像を作成する並置画像作成部２５ｅと、表示された並置画像から、抽出を所望する静止画の選択を受け付ける手段と、受け付けた静止画を媒体装着部３に装着された記録媒体Ａに、ＤＣＦ規格に従って記録する記録処理手段とを静止画抽出装置に備える。【選択図】        図２ 
2006005856.tif 000002
【特許請求の範囲】
【請求項１】
時系列で一定時間の間隔を隔てた静止画を生成する情報からなる動画を再生する再生手段と、記録媒体が装着される媒体装着手段とを備え、前記再生手段により再生された動画から一の静止画を抽出して前記媒体装着手段に装着された記録媒体に記録する静止画抽出装置において、
前記再生手段により再生された動画から一の静止画の指定を受け付ける指定受付手段と、
該指定受付手段が指定を受け付けた場合、指定された静止画及び該静止画の前後の静止画を特定する特定手段と、
該特定手段が特定した静止画を縮小して並置した並置画像を作成する並置画像作成手段と、
該並置画像作成手段が作成した並置画像から記録する静止画の選択を受け付ける選択受付手段と、
該選択受付手段が前記選択を受け付けた場合、選択された静止画を、静止画の記録に関する特定の規格に従って、前記媒体装着手段に装着された記録媒体に記録する処理を行う記録処理手段と
を備えることを特徴とする静止画抽出装置。
【請求項２】
前記記録処理手段は、
前記媒体装着手段に装着された記録媒体に、記録されるデータを階層的に管理するための管理情報を記録する手段と、
前記選択された静止画を圧縮する圧縮手段と、
該圧縮手段により圧縮した静止画に特定の情報を付加する付加手段と、
該付加手段により特定の情報が付加された静止画を、最上位より下位の階層で管理されるように記録する手段と
を備えることを特徴とする請求項１に記載の静止画抽出装置。
【請求項３】
前記特定の規格は、ＤＣＦ規格であることを特徴とする請求項１に記載の静止画抽出装置。
【請求項４】
前記特定手段が特定した静止画のいずれか又はすべてを合成した合成静止画を生成する合成手段を備えることを特徴とする請求項１乃至請求項３のいずれか一つに記載の静止画抽出装置。
【請求項５】
前記静止画は画素毎に画素値を有しており、
前記合成手段は、
合成する複数の静止画が画素毎に有する画素値を加算する加算手段と、
該加算手段が加算した画素値の加算値を、合成する複数の静止画の数で除して得られる値を対応する画素毎に画素値として有する合成静止画を生成する手段と
を備えることを特徴とする請求項４に記載の静止画抽出装置。
【請求項６】
前記合成手段は、
合成する複数の静止画の互いに対応する画素夫々が有する輝度を比較して、最大又は最小の輝度を有する画素の画素値夫々を特定する画素特定手段と、
該画素特定手段が特定した最大の輝度に係る画素値及び最小の輝度に係る画素値の加算平均値を対応する画素毎に有する合成静止画を生成する手段と
を備えることを特徴とする請求項４に記載の静止画抽出装置。
【請求項７】
前記特定手段は、
指定された静止画及び該静止画の前後で、前記一定時間の２以上の整数倍の間隔を隔てた静止画を縮小して並置した並置画像を作成するようにしてあることを特徴とする請求項１乃至請求項６のいずれか一つに記載の静止画抽出装置。
【請求項８】
並置画像作成手段が作成した並置画像から、並置画像として再表示する静止画の選択を受け付ける受付手段を備え、
前記特定手段は、
前記受付手段が選択を受け付けた場合、選択された静止画及び該静止画の前後で、前記一定時間の２以上の整数倍の前記間隔より短い間隔を有する静止画を特定する手段を備えることを特徴とする請求項７に記載の静止画抽出装置。
【請求項９】
時系列で一定時間の間隔を隔てた静止画を撮像する撮像手段と、
該撮像手段が撮像した前記静止画を生成する情報からなる動画を生成する動画生成手段と、
請求項１乃至請求項８のいずれか一つに記載された静止画抽出装置と
を備え、
前記動画生成手段が生成した動画を前記静止画抽出装置によって再生して、再生された動画から抽出される一の静止画を前記媒体装着手段に装着された記録媒体に記録するようにしてあることを特徴とする動画撮像装置。
【発明の詳細な説明】
【技術分野】
【０００１】
本発明は、再生される動画から所望の静止画を抽出して記録する静止画抽出装置、及び該静止画抽出装置を備える動画撮像装置に関する。
【背景技術】
【０００２】
従来の静止画抽出装置を備える動画撮像装置、例えばデジタルビデオカメラ、動画の記録再生機能を有するデジタルスチルカメラ等は、記録媒体に記録された動画を再生する記録再生部と、記録再生部が再生する動画を表示する表示部とを備えている。動画は、時系列で一定時間の間隔を隔てた複数の静止画からなり、前記複数の静止画が例えば３０フレーム／秒で表示部に表示され、動画として再生される。
【０００３】
動画撮像装置は、再生されて表示部に表示される動画から、所望の静止画を抽出するためのキャプチャボタンを更に備えている。キャプチャボタンが押された場合、キャプチャボタンが押された時に表示部に表示されている一の静止画が特定され、特定された一の静止画が静止画ファイルとして記録媒体に記録される。
【０００４】
このように構成される動画撮像装置によれば、所望の静止画が表示部に表示されている時にキャプチャボタンを押すことにより、動画から所望の静止画を抽出し、抽出した静止画を静止画ファイルとして記録媒体に記録することができる。
【特許文献１】特開２００１−２４５２０８号公報
【発明の開示】
【発明が解決しようとする課題】
【０００５】
しかしながら、表示部に表示される動画は、時系列の静止画が例えば１／３０秒＝約０．０３秒毎に順々に表示されるため、動画撮像装置の使用者が所望の画像を認識して、キャプチャボタンを押した場合であっても、静止画を抽出するタイミングがずれる恐れがあり、所望の静止画を抽出し、記録することが必ずしもできないという問題があった。例えば、人物を含む動画から所望の静止画を抽出する場合、瞬きして目を閉じた状態の人物を含む画像が静止画として記録される恐れがある。この場合、再び動画を再生して静止画の抽出及び記録を試みる必要がある。
【０００６】
本発明は斯かる事情に鑑みてなされたものであり、一の静止画の指定を受け付ける指定ボタンが押された瞬間の前後の複数の静止画を縮小して並置した並置画像を表示し、表示された並置画像から記録を所望する静止画を選択する手段を備え、選択された静止画を静止画の記録に関する特定の規格に従って記録することができるように構成することにより、指定ボタンを押すタイミングがずれた場合であっても、所望の静止画を特定の規格に従って記録することができる静止画抽出装置及び該静止画抽出装置を備える動画撮像装置を提供することを目的とする。
【０００７】
また、記録を所望する静止画をＤＣＦ規格に従って、記録媒体に記録するように構成することにより、記録媒体に記録した静止画を、ＤＣＦ規格に適合した他の機器において再生することができる静止画抽出装置及び該静止画抽出装置を備える動画撮像装置を提供することを他の目的とする。
【０００８】
更に、一の静止画の指定を受け付ける指定ボタンが押された瞬間の前後の複数の静止画を特定し、特定した静止画のいずれか又はすべてを合成した合成静止画を生成する合成手段を備えることにより、特定された静止画の画像変化を１つの画像で視認可能とする合成静止画を生成することができる静止画抽出装置及び該静止画抽出装置を備える動画撮像装置を提供することを他の目的とする。
【０００９】
更にまた、合成手段を、指定ボタンが押された瞬間の前後の複数の静止画が画素毎に有する画素値から得られる画素値の平均値を画素毎に有する合成静止画を生成するように構成することにより、加算及び除算のみで簡易に合成静止画を生成することができる静止画抽出装置及び該静止画抽出装置を備える動画撮像装置を提供することを他の目的とする。
【００１０】
更にまた、合成対象となる複数の静止画の互いに対応する画素夫々が有する輝度を比較して、最大又は最小の輝度に係る画素値夫々の加算平均値を画素毎に有する合成静止画を生成する手段を備えることにより、輝度の比較、加算及び除算のみで簡易に合成静止画を生成することができる静止画抽出装置及び該静止画抽出装置を備える動画撮像装置を提供することを他の目的とする。
【００１１】
更にまた、指定ボタンが押された瞬間の静止画及び該静止画の前後で、前記一定時間以上の間隔を隔てた静止画を縮小して並置した並置画像を表示し、表示された並置画像から、記録を所望する静止画を選択することができるように構成することにより、時系列の静止画間の変化が乏しい場合であっても、一定時間より長い間隔を隔てた複数の静止画の中から所望の静止画を選択して記録することができる静止画抽出装置及び該静止画抽出装置を備える動画撮像装置を提供することを他の目的とする。
【００１２】
更にまた、指定ボタンが押された瞬間の静止画及び該静止画の前後で、前記一定時間以上の間隔を隔てた静止画を縮小して並置した並置画像を表示し、更に表示された並置画像から選択された静止画の前後で互いに前記間隔より短い間隔を隔てた時系列の静止画を縮小して並置した並置画像を再表示し、再表示された並置画像から記録を所望する静止画を選択することができるように構成することにより、段階的に静止画を隔てる間隔を短くして、抽出を所望する静止画を効率的に特定することができる静止画抽出装置及び該静止画抽出装置を備える動画撮像装置を提供することを他の目的とする。
【課題を解決するための手段】
【００１３】
本発明に係る静止画抽出装置は、時系列で一定時間の間隔を隔てた静止画を生成する情報からなる動画を再生する再生手段と、記録媒体が装着される媒体装着手段とを備え、前記再生手段により再生された動画から一の静止画を抽出して前記媒体装着手段に装着された記録媒体に記録する静止画抽出装置において、前記再生手段により再生された動画から一の静止画の指定を受け付ける指定受付手段と、該指定受付手段が指定を受け付けた場合、指定された静止画及び該静止画の前後の静止画を特定する特定手段と、該特定手段が特定した静止画を縮小して並置した並置画像を作成する並置画像作成手段と、該並置画像作成手段が作成した並置画像から記録する静止画の選択を受け付ける選択受付手段と、該選択受付手段が前記選択を受け付けた場合、選択された静止画を、静止画の記録に関する特定の規格に従って、前記媒体装着手段に装着された記録媒体に記録する処理を行う記録処理手段とを備えることを特徴とする。
【００１４】
本発明に係る静止画抽出装置において、前記記録処理手段は、前記媒体装着手段に装着された記録媒体に、記録されるデータを階層的に管理するための管理情報を記録する手段と、前記選択された静止画を圧縮する圧縮手段と、該圧縮手段により圧縮した静止画に特定の情報を付加する付加手段と、該付加手段により特定の情報が付加された静止画を、最上位より下位の階層で管理されるように記録する手段とを備えることを特徴とする。
【００１５】
本発明に係る静止画抽出装置において、前記特定の規格は、ＤＣＦ規格であることを特徴とする。
【００１６】
本発明に係る静止画抽出装置は、前記特定手段が特定した静止画のいずれか又はすべてを合成した合成静止画を生成する合成手段を備えることを特徴とする。
【００１７】
本発明に係る静止画抽出装置において、前記静止画は画素毎に画素値を有しており、前記合成手段は、合成する複数の静止画が画素毎に有する画素値を加算する加算手段と、該加算手段が加算した画素値の加算値を、合成する複数の静止画の数で除して得られる値を対応する画素毎に画素値として有する合成静止画を生成する手段とを備えることを特徴とする。
【００１８】
本発明に係る静止画抽出装置において、前記合成手段は、合成する複数の静止画の互いに対応する画素夫々が有する輝度を比較して、最大又は最小の輝度を有する画素の画素値夫々を特定する画素特定手段と、該画素特定手段が特定した最大の輝度に係る画素値及び最小の輝度に係る画素値の加算平均値を対応する画素毎に有する合成静止画を生成する手段とを備えることを特徴とする。
【００１９】
本発明に係る静止画抽出装置において、前記特定手段は、指定された静止画及び該静止画の前後で、前記一定時間の２以上の整数倍の間隔を隔てた静止画を縮小して並置した並置画像を作成するようにしてあることを特徴とする。
【００２０】
本発明に係る静止画抽出装置は、並置画像作成手段が作成した並置画像から、並置画像として再表示する静止画の選択を受け付ける受付手段を備え、前記特定手段は、前記受付手段が選択を受け付けた場合、選択された静止画及び該静止画の前後で、前記一定時間の２以上の整数倍の前記間隔より短い間隔を有する静止画を特定する手段を備えることを特徴とする。
【００２１】
本発明に係る動画撮像装置は、時系列で一定時間の間隔を隔てた静止画を撮像する撮像手段と、該撮像手段が撮像した前記静止画を生成する情報からなる動画を生成する動画生成手段と、請求項１乃至請求項７のいずれかに記載された静止画抽出装置とを備え、前記動画生成手段が生成した動画を前記静止画抽出装置によって再生して、再生された動画から抽出される一の静止画を前記媒体装着手段に装着された記録媒体に記録するようにしてあることを特徴とする。
【００２２】
本発明にあっては、指定受付手段が指定を受け付けた時に再生されている動画を構成する静止画の中から一の静止画の指定を受け付けて、指定された一の静止画の前後の複数の静止画を縮小して並置した並置画像を作成する。そして、作成された並置画像から、記録を所望する静止画の選択を受け付け、受け付けた静止画を装着手段に装着された記録媒体に、静止画の特定の規格に従って記録する。従って、指定受付手段に指定を与えるタイミングがずれた場合であっても、指定された静止画の前後の複数の静止画の中から、所望の静止画を選択して記録媒体に記録することができる。また、特定の規格に従う他の機器によって静止画を再生することができるように、動画から抽出した静止画を特定の規格に従って記録媒体に記録することができる。
【００２３】
本発明にあっては、記録されるデータを階層的に管理するための管理情報を記録媒体に記録する。具体的には、フォルダ又はディレクトリを作成する。圧縮手段は選択された静止画のデータを圧縮し、付加手段は、静止画の圧縮されたデータに特定の情報を付加する。次いで、圧縮された静止画のデータを、最上位のルートディレクトリより下層で管理されるように記録する。従って、圧縮されて下層で管理されている静止画を再生することができる他の機器によって静止画を再生することができるように、動画から抽出した静止画を記録媒体に記録することができる。
【００２４】
本発明にあっては、ＤＣＦ規格に適合した機器によって再生することができるように、動画から抽出した静止画を、ＤＣＦ規格に従って記録媒体に記録することができる。
【００２５】
本発明にあっては、特定手段が特定した静止画のいずれか又はすべてを合成した合成静止画を生成する。従って、特定した各静止画間の変化を１つの画像で視認することができる合成静止画を生成することができる。
【００２６】
本発明にあっては、合成手段は、合成する複数の静止画の画素毎に画素平均を算出して、算出した値を画素値として有する合成画像を生成する。従って、合成する静止画が有する画素の加算及び加算した値を合成した静止画の数で除する除算のみで簡易に合成静止画を生成することができる。
【００２７】
本発明にあっては、合成手段は、合成する複数の静止画の互いに対応する画素の内、最大又は最小の輝度を有する画素の画素値を特定する。最大又は最小の輝度値を有する画素の画素値を特定することにより、静止画間の変化に係る情報を抽出することができる。そして、特定された最大の輝度に係る画素値と最小の輝度に係る画素値の加算平均値を対応する画素毎に有する合成静止画を生成する。従って、静止画間の変化を１つの画像によって視認することができる合成静止画を生成することができる。
【００２８】
本発明にあっては、指定受付手段が指定を受け付けた時に再生されている動画を構成する静止画の中から一の静止画の指定を受け付け、指定された一の静止画の前後で、一定時間より長い時間の間隔を隔てた時系列の静止画を縮小して並置した並置画像を作成する。そして、作成された並置画像から、抽出を所望する静止画の選択を受け付け、受け付けた静止画を装着手段に装着された記録媒体に、静止画の特定の規格に従って記録する。従って、指定受付手段に指定を与えるタイミングがずれた場合であって、時系列の静止画間の変化が乏しいときであっても、指定された静止画の前後で前記間隔を隔てた複数の静止画の中から、所望の静止画を選択して記録することができる。
【００２９】
本発明にあっては、指定受付手段が指定を受け付けた時に再生されている動画を構成する静止画の中から一の静止画の指定を受け付ける。そして、指定された一の静止画の前後で、一定時間より長い間隔を隔てた時系列の静止画を縮小して並置した並置画像を作成し、作成された並置画像から、所望の静止画の選択を受け付ける。更に、選択された静止画の前後で前記間隔より短い間隔を隔てた時系列の静止画を縮小して並置した並置画像を作成し、作成された並置画像から、抽出を所望する静止画の選択を受け付け、受け付けた静止画を装着手段に装着された記録媒体に、静止画の特定の規格に従って記録する。従って、指定受付手段に指定を与えるタイミングがずれた場合であっても、並置画像として表示される静止画を隔てる時間の間隔を段階的に短くして、所望の静止画を効率的に選択して記録することができる。
【発明の効果】
【００３０】
本発明に係る静止画抽出装置及び動画撮像装置にあっては、一の静止画を指定するタイミングがずれた場合であっても、指定された一の静止画の前後で、一定時間より長い間隔を隔てた複数の静止画から所望の静止画を選択して記録することができる。また、特定の規格に従う他の機器によって静止画を再生することができるように、動画から抽出した静止画を記録することができる。
【００３１】
本発明に係る静止画抽出装置及び動画撮像装置にあっては、圧縮されて下層で管理されている静止画を再生することができる他の機器によって再生することができるように、動画から抽出した静止画を記録することができる。
【００３２】
本発明に係る静止画抽出装置及び動画撮像装置にあっては、ＤＣＦ規格に適合した機器によって再生することができるように、動画から抽出した静止画を記録することができる。
【００３３】
本発明に係る静止画抽出装置及び動画撮像装置にあっては、指定された一の静止画及び該静止画の前後の静止画を合成した合成静止画を生成することができる。
【００３４】
本発明に係る静止画抽出装置及び動画撮像装置にあっては、加算及び除算のみで簡易に合成静止画を生成することができる。
【００３５】
本発明に係る静止画抽出装置及び動画撮像装置にあっては、輝度の比較、加算及び除算のみで簡易に合成静止画を生成することができる。
【００３６】
本発明に係る静止画抽出装置及び動画撮像装置にあっては、一の静止画を指定するタイミングがずれた場合であって、静止画間の変化が乏しいときであっても、指定された一の静止画の前後で、一定時間より長い間隔を隔てた複数の静止画から所望の静止画を選択して記録することができる。
【００３７】
本発明に係る静止画抽出装置及び動画撮像装置にあっては、一の静止画を指定するタイミングがずれた場合であっても、指定された一の静止画の前後で、再特定により段階的に短くなる間隔を隔てた複数の静止画の中から所望の静止画を効率的に選択して記録することができる。
【発明を実施するための最良の形態】
【００３８】
（実施の形態１）
以下、本発明に係る静止画抽出装置及び該静止画抽出装置を備える動画撮像装置を、その実施の形態を示す図面に基づいて詳述する。
【００３９】
図１は、本発明に係る静止画抽出装置を備える動画撮像装置を模式的に示す略示斜視図である。図中、１０は被写体からの光を集光するレンズであり、レンズ１０は略直方体の筐体１１の一側面に設けられている。筐体１１は、レンズ１０に向かって右側面１１ａにアスペクト比が４／３の表示部４を枢支している。右側面１１ａの表示部４より上側部分には、メニュー表示ボタン５ａ、動画の再生を開始する再生ボタン５ｂ、再生を停止する停止ボタン５ｃ、再生される動画を構成する時系列で一定時間の間隔を隔てた複数の静止画ｎ（ｎ＝０，１，２・・・，ｎend ）の内、再生されて表示部４に表示されている一の静止画ｉを指定する指定ボタン５ｄ、十字キー５ｅ、決定ボタン５ｆ、キャンセルボタン５ｇ、静止画記録ボタン５ｈ、及び電源スイッチ５ｉが設けられている。
【００４０】
動画撮像装置は、背面に静止画を記録する記録媒体Ａを装着し、装着した記録媒体Ａに静止画ｎに係るデータを記録する媒体装着部３（図２参照）を備えている。記録媒体Ａは、ＤＣＦ規格に適合したＰＣカード等の半導体メモリである。媒体装着部３に装着された記録媒体Ａへの記録制御は制御部２０が行う。また制御部２０は後述する各種ハードウェアを制御する。
【００４１】
図２は、動画撮像装置の構成を示すブロック図である。動画撮像装置は、レンズ１０で集光され結像した像をアナログの撮像信号に変換するアスペクト比が４／３の撮像素子２１と、撮像信号の変換の同期を取るタイミングジェネレータ２２とを備えており、撮像素子２１は変換した撮像信号を撮像信号処理部２３に出力する。撮像信号処理部２３は、撮像素子２１が変換した撮像信号をデジタルの動画データに変換するＡＤコンバータを有しており、ＡＤ変換した動画データをワークメモリ２４に出力して記憶させる。
【００４２】
動画撮像装置は、ワークメモリ２４が記憶した動画データにガンマ補正、色補正等の画像処理を行う画像処理部２５ａと、画像処理部２５ａが画像処理した動画データをＭｏｔｉｏｎＪＰＥＧの圧縮伸張方式で圧縮及び伸張するビデオコーデック部２５ｂとを備えている。ＭｏｔｉｏｎＪＰＥＧによれば、時系列の複数の静止画ｎ夫々は順次ＪＰＥＧの圧縮伸張方式で圧縮され、圧縮された動画は、時系列で一定時間の間隔を隔てた複数の静止画ｎとして伸張される。本発明の実施の形態では、ＪＰＥＧの圧縮伸張方式で圧縮されたフレーム画を静止画として説明するが、テレビジョン放送規格の２フィールド画（１フレーム画）を１つの静止画としてもよく、また１フィールド画を１つの静止画としても良い。
【００４３】
また動画撮像装置は、ビデオコーデック部２５ｂで圧縮された動画データを、媒体装着部３に装着された記録媒体Ａに記録する記録再生部２５ｄと、記録再生部２５ｄにより記録及び再生される動画を表示部４及び表示装置Ｂに表示するための信号に変換して、表示部４及び動画出力部６に出力するビデオコントローラ２５ｃとを備えている。動画出力部６は、外部の表示装置Ｂが例えばケーブルを介して接続されるＤＶ端子を備えるインタフェースである。
【００４４】
更に動画撮像装置は、ビデオコーデック部２５ｂが伸張した動画を構成する複数の静止画ｎから特定された複数の静止画Ｎ−２ｄ，Ｎ−ｄ，Ｎ，Ｎ＋ｄ，Ｎ＋２ｄを縮小し、縮小した縮小画像４１〜４５を並置した並置画像を作成する並置画像作成部２５ｅを備えている。ここにおいてｄは、静止画Ｎと静止画Ｎの前後の静止画Ｎ±ｄとの時系列上のフレーム差を示す自然数であり、十字キー５ｅ及び決定ボタン５ｆの操作により設定される。並置画像作成部２５ｅで作成された画像は、表示部４又は表示装置Ｂに表示される。
【００４５】
なお、画像処理部２５ａ、ビデオコーデック部２５ｂ、ビデオコントローラ２５ｃ、記録再生部２５ｄ、及び並置画像作成部２５ｅは、１チップ化されて実現されている。
【００４６】
タイミングジェネレータ２２、撮像信号処理部２３、画像処理部２５ａ、ビデオコーデック部２５ｂ、ビデオコントローラ２５ｃ、記録再生部２５ｄ、及び並置画像作成部２５ｅは、動画撮像装置が備えるマイクロコンピュータの制御部２０が制御する。メニュー表示ボタン５ａ、再生ボタン５ｂ、停止ボタン５ｃ、指定ボタン５ｄ、十字キー５ｅ、決定ボタン５ｆ、キャンセルボタン５ｇ、静止画記録ボタン５ｈ、及び電源スイッチ５ｉの操作状態は、入出力装置のＩ／Ｏ部２６を介して制御部２０により検出されるように構成されている。
【００４７】
図３乃至図５は、静止画の抽出及び記録に係る制御部２０の処理手順を示すフローチャートである。電源スイッチ５ｉがオンになった場合、制御部２０はｄに９を設定する（ステップＳ１）。静止画Ｎと静止画Ｎ＋ｄとの時系列上の時間間隔ΔＴは、例えば動画のフレームレートを３０フレーム／秒とした場合、ΔＴ＝ｄ／３０＝０．３秒となる。
【００４８】
次いで、制御部２０は、メニュー表示ボタン５ａの操作状態を検出し、メニュー表示ボタン５ａが押されているか否かを判定する（ステップＳ２）。メニュー表示ボタン５ａが押されていると判定した場合（ステップＳ２：ＹＥＳ）、制御部２０は時間間隔ΔＴ＝ｄ／３０の設定を受け付ける受付メニューを表示する（ステップＳ３）。そして、制御部２０は、十字キー５ｅ及び決定ボタン５ｆの操作状態を検出してΔＴの入力を受け付ける（ステップＳ４）。そしてまた制御部２０は、受け付けたΔＴに動画のフレームレートの３０フレーム／秒を乗じ、乗じて得た値３０ΔＴをｄに設定する（ステップＳ５）。
【００４９】
ステップＳ５の処理を終えた場合、又はステップＳ２においてメニュー表示ボタン５ａが押されていないと判定した場合（ステップＳ２：ＮＯ）、制御部２０は、電源スイッチ５ｉの状態を検出し、電源スイッチ５ｉがオンの状態にあるか否かを判定する（ステップＳ６）。電源スイッチ５ｉがオンの状態にないと判定した場合（ステップＳ６：ＮＯ）、制御部２０は処理を終了する。
【００５０】
電源スイッチ５ｉがオンの状態にあると判定した場合（ステップＳ６：ＹＥＳ）、制御部２０は、再生ボタン５ｂの操作状態を検出し、再生ボタン５ｂが押されているか否かを判定する（ステップＳ７）。再生ボタン５ｂが押されていると判定した場合（ステップＳ７：ＹＥＳ）、動画として記録されている静止画ｎの中から、再生する静止画ｉ、例えば静止画０を設定する（ステップＳ８）。再生ボタン５ｂが押されていないと判定した場合（ステップＳ７：ＮＯ）、制御部２０は、処理をステップＳ２に戻す。
【００５１】
ステップＳ８の処理を終えた場合、制御部２０は、静止画ｉを再生して表示部４に表示し、また動画出力部６に静止画ｉを出力する（ステップＳ９）。具体的には、制御部２０は、静止画ｉを含む動画データを記録媒体Ａから読み出し、読み出した動画データをビデオコーデック部２５ｂで伸張し、伸張した静止画ｉを表示部４又は表示装置Ｂに表示させる。次いで、制御部２０は、停止ボタン５ｃの操作状態を検出し、停止ボタン５ｃが押されているか否かを判定する（ステップＳ１０）。停止ボタン５ｃが押されていると判定した場合（ステップＳ１０：ＹＥＳ）、制御部２０は処理をステップＳ２に戻す。
【００５２】
停止ボタン５ｃが押されていないと判定した場合（ステップＳ１０：ＮＯ）、制御部２０は、指定ボタン５ｄの操作状態を検出し、指定ボタン５ｄが押されているか否かを判定する（ステップＳ１１）。指定ボタン５ｄが押されていないと判定した場合（ステップＳ１１：ＮＯ）、制御部２０は、再生する静止画ｉの番号ｉを１インクリメントし（ステップＳ１２）、処理をステップＳ９に戻す。
【００５３】
指定ボタン５ｄが押されていると判定した場合（ステップＳ１１：ＹＥＳ）、制御部２０は、縮小画像４３として表示する静止画Ｎの番号Ｎに番号ｉの値を設定する（ステップＳ１３）。次いで、制御部２０は、静止画Ｎ，Ｎ±ｄ，Ｎ±２ｄを含む動画データを記録媒体Ａから読み出し、静止画Ｎ，Ｎ±ｄ，Ｎ±２ｄの縮小画像４１〜４５を並置画像作成部２５ｅにより生成する（ステップＳ１４）。
【００５４】
縮小画像４１〜４５の生成を終えた場合、制御部２０は、図７に示すように静止画Ｎ−２ｄ，Ｎ−ｄ，Ｎ、Ｎ＋ｄ，Ｎ＋２ｄの縮小画像４１〜４５を左側から右側に昇順で並置した並置画像を作成し、作成した並置画像を表示部４に表示する（ステップＳ１５）。また、制御部２０は作成した並置画像を動画出力部６に出力する。そして、制御部２０は、縮小画像４１〜４５の選択を受け付けるためのカーソル４０を表示する（ステップＳ１６）。例えば、縮小画像４３の縁を囲む略長方形のカーソル４０を表示する。
【００５５】
ステップ１６の処理を終えた後、制御部２０は、十字キー５ｅの操作状態を検出し、十字キー５ｅが押されているか否かを判定する（ステップＳ１７）。十字キー５ｅが押されていると判定した場合（ステップＳ１７：ＹＥＳ）、制御部２０は十字キー５ｅの操作に応じてカーソル４０を移動させる（ステップＳ１８）。例えば、カーソル４０が縮小画像４３を指定している場合において、十字キー５ｅの右ボタンが押されているとき、縮小画像４３を指定するカーソル４０を移動させ、縮小画像４３の右隣に並置している縮小画像４４にカーソル４０を合わせる。同様に、カーソル４０が縮小画像４３を指定している場合において、十字キー５ｅの左ボタンが押されているとき、縮小画像４３を指定するカーソル４０を移動させ、縮小画像４３の左隣に並置している縮小画像４２にカーソル４０を合わせる。
【００５６】
ステップＳ１８の処理を終えた場合、又はステップＳ１７において、十字キー５ｅが押されていないと判定した場合（ステップＳ１７：ＮＯ）、制御部２０はｄが１であるか否かを判定する（ステップＳ１９）。ｄが１でないと判定した場合（ステップＳ１９：ＮＯ）、制御部２０は、決定ボタン５ｆの操作状態を検出し、決定ボタン５ｆが押されているか否かを判定する（ステップＳ２０）。決定ボタン５ｆが押されていると判定した場合（ステップＳ２０：ＹＥＳ）、制御部２０は、カーソル４０で指定されている縮小画像４１〜４５に係る静止画ｋの番号ｋを番号Ｎに設定する（ステップＳ２１）。例えば、縮小画像４１がカーソル４０で指定されている場合、縮小画像４１に係る静止画ｋ＝Ｎ−２ｄの番号ｋ＝Ｎ−２ｄを、番号Ｎに設定する。そして、制御部２０は、ｄを３で除し、除した値ｄ／３を整数に変換した値Ｉｎｔ（ｄ／３）を新たなｄの値として設定する（ステップＳ２２）。整数への変換は、ｄを３で除した値の端数を切り上げることにより行う。ｄにＩｎｔ（ｄ／３）を設定した場合、制御部２０は処理をステップＳ１４に戻す。
【００５７】
ステップＳ１９においてｄが１であると判定した場合（ステップＳ１９：ＹＥＳ）、又はステップＳ２０において決定ボタン５ｆが押されていないと判定した場合（ステップＳ２０：ＮＯ）、制御部２０は、静止画記録ボタン５ｈの操作状態を検出し、静止画記録ボタン５ｈが押されているか否かを判定する（ステップＳ２３）。静止画記録ボタン５ｈが押されていると判定した場合（ステップＳ２３：ＹＥＳ）、制御部２０はカーソル４０で選択されている縮小画像４１〜４５の静止画ｋをＤＣＦ（Ｄｅｇｉｇｎ  ｒｕｌｅ  ｆｏｒ  Ｃａｍｅｒａ  Ｆｉｌｅ  ｓｙｓｔｅｍ）規格に従って記録するサブルーチンを呼び出す（ステップＳ２４）。
【００５８】
サブルーチンにおいて制御部２０は、媒体装着部３の状態を検出し、媒体装着部３が記録媒体Ａを装着しているか否かを判定する（ステップＳ１０１）。媒体装着部３が記録媒体Ａを装着していないと判定した場合（ステップＳ１０１：ＮＯ）、制御部２０は、記録媒体Ａを装着すべきことを通知するメッセージを表示部４に表示させ（ステップＳ１０２）、サブルーチンの処理を終える。
【００５９】
媒体装着部３が記録媒体Ａを装着していると判定した場合（ステップＳ１０１：ＹＥＳ）、制御部２０は、データを階層的に管理するための管理情報を記録媒体Ａから読み出し、管理情報に基づいてルートディレクトリ７ａにＤＣＦイメージディレクトリ７ｂ（図６参照）があるか否かを判定する（ステップＳ１０３）。具体的には、ファイル名が「ＤＣＩＭ」のディレクトリがあるか否かを判定する。ＤＣＦイメージディレクトリ７ｂがないと判定した場合（ステップＳ１０３：ＮＯ）、制御部２０は、記録媒体Ａのルートディレクトリ７ａにファイル名が「ＤＣＩＭ」のディレクトリを作成する（ステップＳ１０４）。
【００６０】
ステップＳ１０４の処理を終えた場合、又はステップＳ１０３においてＤＣＦイメージディレクトリ７ｂがあると判定した場合（Ｓ１０３：ＹＥＳ）、制御部２０は、管理情報に基づいてＤＣＦイメージディレクトリ７ｂの下層にＤＣＦディレクトリ７ｃがあるか否かを判定する（ステップＳ１０５）。ＤＣＦディレクトリ７ｃがないと判定した場合（ステップＳ１０５：ＮＯ）、制御部２０は、ＤＣＦイメージディレクトリ７ｂの下層にＤＣＦディレクトリ７ｃを作成する（ステップＳ１０６）。ＤＣＦディレクトリ７ｃは、ディレクトリ名が１００〜９９９のディレクトリ番号と５文字の自由文字とからなるディレクトリである。例えば、ディレクトリ名が「１００ＳＨＡＲＰ」のディレクトリを作成する。
【００６１】
ステップＳ１０６の処理を終えた場合、又はステップＳ１０５において、ＤＣＦディレクトリ７ｃがあると判定した場合（ステップＳ１０５：ＹＥＳ）、制御部２０は、静止画ｋを一旦ワークメモリ２４に本来の解像度で展開し、展開した静止画ｋを画素数が１６０×１２０の画像に縮小し、ＪＰＥＧの圧縮伸張方式で圧縮したサムネイル画像を生成する（ステップＳ１０７）。そして、制御部２０は、ＭｏｔｉｏｎＪＰＥＧの圧縮伸張方式で圧縮されている動画の一部である静止画ｋをＪＰＥＧの圧縮伸張方式に添うように、展開及び圧縮することなく、ヘッダ部の変更により静止画ｋをＪＰＥＧの圧縮伸張方式のファイルに変換する（ステップＳ１０８）。ヘッダ部の変更によりファイル形式を変換するため、画質のさらなる劣化を伴うことは無い。次いで、制御部２０は、静止画ｋの圧縮されたデータにステップＳ１０７で生成したサムネイルと、静止画ｋに関する特定の情報を付加したＥｘｉｆファイル形式のＤＣＦ基本ファイルを作成する（ステップＳ１０９）。
【００６２】
ＤＣＦ基本ファイルのファイル名は、４文字の自由文字と０００１〜９９９９のファイル番号とからなり、「ＪＰＧ」の拡張子を有する。例えば、ファイル名を「ＰＩＣＴ０００１．ＪＰＧ」として記録する。特定の情報は、Ｅｘｉｆ必須タグ及びＤＣＦの規格により要求される、動画撮像装置の情報、色空間情報等に関する情報である。より具体的には、動画撮像装置のメーカー名、モデル名、静止画ｋの原画像の生成日時、静止画ｋのデジタルデータの作成日時、ＤＣＦ基本ファイルであることを判別するためのＤＣＦ判別情報、ｓＲＧＢの色空間を示す情報等を記録する。更に、制御部２０は、ステップＳ１０９で作成したＤＣＦ基本ファイルを、ＤＣＦディレクトリ７ｃに記録し（ステップＳ１１０）、サブルーチンの処理を終える。
【００６３】
ステップＳ２４の処理を終えた場合、又はステップＳ２３において静止画記録ボタン５ｈが押されていないと判定した場合（ステップＳ２３：ＮＯ）、制御部２０は、キャンセルボタン５ｇの操作状態を検出し、キャンセルボタン５ｇが押されているか否かを判定する（ステップＳ２５）。キャンセルボタン５ｇが押されていると判定した場合（ステップＳ２５：ＹＥＳ）、制御部２０は、ｄにステップＳ１又はステップＳ５で初期設定されたｄを設定し（ステップＳ２６）、処理をステップＳ９に戻す。キャンセルボタン５ｇが押されていないと判定した場合（ステップＳ２５：ＮＯ）、処理をステップＳ１６に戻す。
【００６４】
図６は、図５に示す処理によって記録媒体Ａに記録される静止画ファイル及び記録媒体のディレクトリ構造を示す概念図である。図６（ａ）は、記録媒体Ａに記録する静止画ファイルを示している。静止画ファイルは、ＪＰＥＧの圧縮伸張方式で圧縮された静止画ｋのデータと、静止画ｋのサムネイル画像と、撮像装置の情報、色空間等に関する特定の情報を含み、データの起点及び終点を示すＳＯＩ（Ｓｔａｒｔ  ｏｆ  Ｉｍａｇｅ）及びＥＯＩ（Ｅｎｄ  ｏｆ  Ｉｍａｇｅ）により静止画ファイルが構成されている。
【００６５】
図６（ｂ）は、図６（ａ）に示す静止画ファイルを記録する記録媒体Ａのディレクトリ構造を示している。記録媒体Ａのルートディレクトリ７ａには、ファイル名が「ＤＣＩＭ」のＤＣＦイメージディレクトリ７ｂが作成されており、ＤＣＦイメージディレクトリ７ｂには、ＤＣＦディレクトリ７ｃが作成されている。そして、ファイル名が「１００ＳＨＡＲＰ」のＤＣＦディレクトリ７ｃに、静止画ファイルがファイル名「ＰＩＣＴ０００１．ＪＰＧ」で記録されている。
【００６６】
図７は、本発明に係る並置画像作成部２５ｅにより作成された並置画像の模式図である。並置画像の上側には、静止画Ｎ，Ｎ±ｄ，Ｎ±２ｄ夫々の縮小画像４１〜４５が左側から右側に昇順に並置されている。縮小画像４１〜４５の下側には、カーソル４０で選択されている縮小画像４３の静止画ｋ＝Ｎが拡大されて表示されている。
【００６７】
図８は、並置画像として表示される複数の静止画間の時間間隔を段階的に短くして並置画像を再表示した場合の縮小画像の模式図である。図８（ａ）は、動画の再生中に指定ボタン５ｄが押された場合に、表示される縮小画像４１〜４５である。縮小画像４１〜４５間の時間間隔はｄ／３０＝９／３０＝０．３秒であり、縮小画像４２がカーソル４０で選択されている。図８（ｂ）は、図８（ａ）の状態で決定ボタン５ｆが押された場合に再表示される縮小画像４６〜５０である。縮小画像４６〜５０間の時間間隔は０．３／３＝０．１秒であり、縮小画像４８が選択されている。図８（ｃ）は、更に図８（ｂ）の状態で決定ボタン５ｆが押された場合に再表示される縮小画像５１〜５５である。縮小画像間の時間間隔は０．１／３＝約０．０３秒である。
【００６８】
本発明に係る動画撮像装置にあっては、動画として再生され、順々に表示部４に表示される静止画ｉを指定するタイミングがずれた場合であっても、図８（ａ）に示すように、指定ボタン５ｄが押された時に再生されている静止画ｉ＝Ｎを含む複数の静止画Ｎ，Ｎ±ｄ，Ｎ±２ｄの縮小画像４１〜４５が表示部４に表示されるため、所望の静止画ｋを選択して、選択した静止画ｋを静止画ファイルとして記録媒体Ａに記録することができる。
【００６９】
また、図８（ａ）に示すように、縮小画像４１〜４５間の時間間隔は、０．０３秒に比べ０．３秒と長いため、時系列の連続する静止画ｎの変化が乏しい場合であっても、画像の変化が比較的大きい縮小画像４１〜４５の中から所望の静止画ｋを選択して、静止画ファイルとして記録媒体Ａに記録することができる。
【００７０】
更に、図８（ｂ）、（ｃ）に示すように、縮小画像４１〜４５間の時間間隔をより短くした縮小画像４６〜５５を表示させることにより、連続する時系列の静止画ｎの変化が大きい場合であっても、所望の静止画ｋを選択して、静止画ファイルとして記録媒体Ａに記録することができる。
【００７１】
更にまた、抽出した静止画ｋは、ＤＣＦ規格に従って記録媒体Ａに記録されるため、ＤＣＦ規格に適合した他の機器によっても、記録媒体Ａに記録した静止画ｋを再生することができる。例えば、ＤＣＦ規格に適合した記録媒体を有した装置を接続した場合、パーソナルコンピュータ又はパーソナルコンピュータ上のソフトウェアを介在することなしに印画を行うことが可能な印刷装置と本発明に係る動画撮像装置とを接続した場合、動画から抽出した静止画を、通常の静止画印刷と同等の手段によって、容易に印刷を行うことが可能となる。
ダイレクトプリント可能なプリンタに記録媒体Ａを装着させた場合、記録媒体Ａに記録した静止画ｋをダイレクトプリントすることができる。
【００７２】
更にまた、再生する動画及び並置画像を、動画出力部６に接続する表示装置Ｂに表示させることができる。
【００７３】
なお、実施の形態で示した静止画抽出装置は、動画を撮像する動画撮像装置に適用されているが、動画をＤＶＤに記録するＤＶＤレコーダ、又は携帯電話その他の動画記録装置に適用しても良い。
【００７４】
また、並置画像として表示される複数の静止画間のフレーム差の設定を、時間間隔ｄ／３０によって受け付けているが、ｄを直接受け付けるように構成しても良い。また、具体的な時間間隔の指定を受け付けず、時間間隔の長短のいずれかを選択できるように構成しても良い。
【００７５】
更に、指定された静止画を含む縮小画像を５つ並置した並置画像を生成しているが、３つ以上の縮小画像を表示部に表示しても良い。
【００７６】
更にまた、ｄを、関数Ｉｎｔ（ｄ／３）によって段階的に小さくしているが、異なる比率、例えばＩｎｔ（ｄ／５）、又はＩｎｔ（ｄ／２）等でｄを段階的に変化させても良い。
【００７７】
（実施の形態２）
図９は、実施の形態２に係る動画撮像装置が備える制御部の処理手順を示すフローチャートである。制御部２０は、図３乃至図５に示す処理に加えて図９に示す処理を行う。つまり、ステップＳ１６の処理を終えた後、ステップＳ１７の処理を行う前に、ステップＳ２０１乃至ステップＳ２１３の処理を行う。
【００７８】
制御部２０は、ステップＳ１６の処理を終えた場合、並置画像を表示した状態で本発明に係る合成静止画１４１の作成指示を受け付けるようにしてあり、合成静止画１４１作成の指示を受け付けたか否かを判定する（ステップＳ２０１）。具体的には、図７に示した並置画像に合成静止画１４１の作成を受け付けるためのボタンを表示し、制御部２０は、十字キー５ｅ及び決定ボタン５ｆの操作状態を検出することにより、合成静止画１４１作成の指示を受け付けたか否かを判定する。合成静止画１４１の作成指示を受け付けていないと判定した場合（ステップＳ２０１：ＮＯ）、制御部２０は、図４に示すステップＳ１７の処理を実行する。
【００７９】
合成静止画１４１の作成指示を受け付けたと判定した場合（ステップＳ２０１：ＹＥＳ）、制御部２０は、静止画Ｎ，Ｎ±ｄ，Ｎ±２ｄを記録媒体Ａから読み出す（ステップＳ２０２）。静止画Ｎ，Ｎ±ｄ，Ｎ±２ｄは、画素数Ｘ０×Ｙ０の画素（ｘ，ｙ）毎に０〜２５５の画素値Ｉα（ｘ，ｙ）を有しており、制御部２０は、静止画Ｎ，Ｎ±ｄ，Ｎ±２ｄの画素位置を示すｘ及びｙに０を設定する（ステップＳ２０３、Ｓ２０４）。但し、ｘは静止画Ｎ，Ｎ±ｄ，Ｎ±２ｄの水平方向の画素位置を示しており、０及び最大値Ｘ０間の整数である。ｙは静止画Ｎ，Ｎ±ｄ，Ｎ±２ｄの垂直方向の画素位置を示しており、０及び最大置Ｙ０間の整数である。また、Ｉの添え字αは、−２〜２の整数であり、夫々静止画Ｎ，Ｎ±ｄ，Ｎ±２ｄに対応する画素値を示している。以下、静止画をモノクロ画像として説明するが、カラー画像の場合もＲＧＢ（Ｒ＝Ｒｅｄ、Ｇ＝Ｇｒｅｅｎ、Ｂ＝Ｂｌｕｅ）夫々の画素値に同様の処理を行えば良い。
【００８０】
そして、制御部２０は、静止画Ｎ，Ｎ±ｄ，Ｎ±２ｄ夫々の画素値Ｉα（ｘ，ｙ）の平均値を算出し、算出した平均値をＰ（ｘ，ｙ）に代入する（ステップＳ２０５）。つまり、静止画Ｎ，Ｎ±ｄ，Ｎ±２ｄ夫々の画素値Ｉα（ｘ，ｙ）を加算して、加算した加算値ΣＩα（ｘ，ｙ）を５で除する。５は、合成する静止画Ｎ，Ｎ±ｄ，Ｎ±２ｄの総数である。
【００８１】
次いで、制御部２０は、ｘがＸ０であるか否かを判定する（ステップＳ２０６）。ｘがＸ０でないと判定した場合（ステップＳ２０６：ＮＯ）、制御部２０はｘを１インクリメントして（ステップＳ２０７）、処理をステップＳ２０５に戻す。
【００８２】
ｘがＸ０であると判定した場合（ステップＳ２０６：ＹＥＳ）、次いで制御部２０はｙがＹ０であるか否かを判定する（ステップＳ２０８）。ｙがＹ０でないと判定した場合（ステップＳ２０８：ＮＯ）、制御部２０は、ｙを１インクリメントして（ステップＳ２０９）、処理をステップＳ２０４に戻す。
【００８３】
ｙがＹ０であると判定した場合（ステップＳ２０８：ＹＥＳ）、制御部２０はＰ（ｘ，ｙ）を画素毎に有する合成静止画１４１を表示部４に表示する（ステップＳ２１０）。次いで、制御部２０は表示した合成静止画１４１を記録媒体Ａに記録するか否かの指示を受け付ける（ステップＳ２１１）。具体的には、制御部２０は、記録の要・不要を選択させるメニューを表示させ、十字キー５ｅ及び決定ボタン５ｆの操作状態を検出することにより、記録の指示を受け付ける。
【００８４】
記録の指示を受け付けた場合、制御部２０は、ステップＳ２１１で合成静止画１４１の記録指示を受け付けたか否かを判定する（ステップＳ２１２）。合成静止画１４１の記録指示を受け付けたと判定した場合（ステップＳ２１２：ＹＥＳ）、制御部２０は、合成静止画１４１を記録媒体Ａに記録するために、静止画の記録を行うサブルーチンを呼び出す（ステップＳ２１３）。静止画の記録を行うサブルーチンは、図５に示したサブルーチンの処理と同様である。
【００８５】
合成静止画１４１の記録指示を受け付けていないと判定した場合（ステップＳ２１２：ＮＯ）又はステップＳ２１３の処理を終えた場合、制御部２０は、図４に示すステップＳ１７の処理を実行する。
【００８６】
実施の形態２に係る動画撮像装置が備える制御部２０の処理内容以外の構成、作用及び効果は、実施の形態１で示した動画撮像装置と同様であるため、その詳細な説明を省略する。
【００８７】
図１０は、合成する５つの静止画の縮小画像、及び５つの静止画を合成した合成静止画の模式図である。図５（ａ）は、図４に示すステップＳ１４及びＳ１５の処理によって表示されている縮小画像４１〜４５であり、図５（ｂ）は縮小画像４１〜４５の静止画Ｎ，Ｎ±ｄ，Ｎ±２ｄをステップＳ２０２〜Ｓ２０８の処理により合成した合成静止画１４１を示している。
【００８８】
実施の形態２に係る動画撮像装置にあっては、静止画の画素毎に画素値の平均を算出することにより、静止画の特徴を１つの画像により示すことができる合成静止画を生成することができる。
【００８９】
（実施の形態３）
図１１は、実施の形態３に係る動画撮像装置が備える制御部の処理手順を示すフローチャートである。図１２及び１３は、実施の形態３の処理によって合成される静止画を示す説明図である。制御部２０は、図３乃至図５に示す処理に加えて図１１に示す処理を行う。つまり、ステップＳ１６の処理を終えた後、ステップＳ１７の処理を行う前にステップＳ３０１乃至ステップＳ３１５の処理を行う。
【００９０】
制御部２０は、ステップＳ１６の処理を終えた場合、並置画像を表示した状態で本発明に係る合成静止画２４１（図１４参照）の作成指示を受け付けるようにしてあり、合成静止画２４１作成の指示を受け付けたか否かを判定する（ステップＳ３０１）。合成静止画２４１の作成指示を受け付けていないと判定した場合（ステップＳ３０１：ＮＯ）、制御部２０は、図４に示すステップＳ１７の処理を実行する。
【００９１】
合成静止画２４１の作成指示を受け付けたと判定した場合（ステップＳ３０１：ＹＥＳ）、制御部２０は、図１２及び図１３に示す静止画Ｎ，Ｎ±ｄ，Ｎ±２ｄ，Ｎ＋３ｄを記録媒体Ａから読み出す（ステップＳ３０２）。図１２（ａ）、（ｂ）、（ｃ）は夫々、静止画Ｎ−２ｄ、静止画Ｎ−ｄ、静止画Ｎを示しており、図１３（ｄ）、（ｅ）、（ｆ）は夫々、静止画Ｎ＋ｄ、静止画Ｎ＋２ｄ、静止画Ｎ＋３ｄを示している。静止画Ｎ，Ｎ±ｄ，Ｎ±２ｄ，Ｎ＋３ｄは、画素数Ｘ０×Ｙ０の画素（ｘ，ｙ）毎に０〜２５５の画素値Ｉα（ｘ，ｙ）を有しており、制御部２０は、静止画Ｎ，Ｎ±ｄ，Ｎ±２ｄ，Ｎ＋３ｄの画素位置を示すｘ及びｙに０を設定する（ステップＳ３０３、Ｓ３０４）。Ｉの添え字αは、−２〜５の整数であり、夫々静止画Ｎ，Ｎ±ｄ，Ｎ±２ｄ，Ｎ＋３ｄに対応する画素値を示している。
【００９２】
そして、制御部２０は、静止画Ｎ，Ｎ±ｄ，Ｎ±２ｄ，Ｎ＋３ｄ夫々の互いに対応する画素（ｘ，ｙ）夫々が有する輝度を比較して、最大の輝度を有する画素（ｘ，ｙ）の画素値Ｉｍａｘを特定する（ステップＳ３０５）。Ｉｍａｘの特定は、例えば静止画Ｎ−２ｄから静止画Ｎ＋３ｄまで順々に画素（ｘ，ｙ）が有する輝度を比較して、輝度のより大きい画素（ｘ，ｙ）の画素値を特定することにより行う。
【００９３】
なお、ＲＧＢのカラー画像の場合、画素（ｘ，ｙ）が有する輝度の比較は、ワークメモリ２４に静止画のデータとして展開されている輝度情報に基づいて行う。また、ＲＧＢの色成分を有する画素値から輝度を算出しても良い。
【００９４】
次いで、制御部２０は、静止画Ｎ，Ｎ±ｄ，Ｎ±２ｄ，Ｎ＋３ｄ夫々の互いに対応する画素（ｘ，ｙ）夫々が有する輝度を比較して、最小の輝度を有する画素（ｘ，ｙ）の画素値Ｉｍｉｎを特定する（ステップＳ３０６）。そして、ステップＳ３０５及びＳ３０６で特定したＩｍａｘ及びＩｍｉｎの加算平均値を算出し、算出した加算平均値をＰ（ｘ，ｙ）に代入する（ステップＳ３０７）。加算平均値は、（Ｉｍａｘ＋Ｉｍｉｎ）／２により算出する。
【００９５】
ステップＳ３０７の処理を終えた場合、制御部２０は、ｘがＸ０であるか否かを判定する（ステップＳ３０８）。ｘがＸ０でないと判定した場合（ステップＳ３０８：ＮＯ）、制御部２０はｘを１インクリメントして（ステップＳ３０９）、処理をステップＳ３０５に戻す。
【００９６】
ｘがＸ０であると判定した場合（ステップＳ３０８：ＹＥＳ）、次いで制御部２０はｙがＹ０であるか否かを判定する（ステップＳ３１０）。ｙがＹ０でないと判定した場合（ステップＳ３１０：ＮＯ）、制御部２０は、ｙを１インクリメントして（ステップＳ３１１）、処理をステップＳ３０４に戻す。
【００９７】
ｙがＹ０であると判定した場合（ステップＳ３１０：ＹＥＳ）、制御部２０はＰ（ｘ，ｙ）を画素毎に有する合成静止画２４１を表示部４に表示する（ステップＳ３１２）。次いで、制御部２０は表示した合成静止画２４１を記録媒体Ａに記録するか否かの指示を受け付ける（ステップＳ３１３）。
【００９８】
記録の指示を受け付けた場合、制御部２０は、ステップＳ３１３で合成静止画２４１の記録指示を受け付けたか否かを判定する（ステップＳ３１４）。合成静止画２４１の記録指示を受け付けたと判定した場合（ステップＳ３１４：ＹＥＳ）、制御部２０は、合成静止画２４１を記録媒体Ａに記録するために、静止画の記録を行うサブルーチンを呼び出す（ステップＳ３１５）。静止画の記録を行うサブルーチンは、図５に示したサブルーチンの処理と同様である。
【００９９】
合成静止画２４１の記録指示を受け付けていないと判定した場合（ステップＳ３１４：ＮＯ）又はステップＳ３１５の処理を終えた場合、制御部２０は、図４に示すステップＳ１７の処理を実行する。
【０１００】
実施の形態３に係る動画撮像装置が備える制御部２０の処理内容以外の構成、作用及び効果は、実施の形態１に係る動画撮像装置と同様であるため、その詳細な説明を省略する。また、ｘ、ｙ、Ｘ０及びＹ０は、実施の形態２と同様の画素位置及び最大値を示している。
【０１０１】
図１４は、加算平均される画素値を有する画像及び合成された画像を示す説明図である。図１４（ａ）は、ステップＳ３０５で特定される画素値Ｉｍａｘを画素毎に有する画像を示しており、図１４（ｂ）は、ステップＳ３０６で特定される画素値Ｉｍｉｎを画素毎に有する画像を示している。図１４（ａ）及び（ｂ）に示すように、ステップＳ３０５及びＳ３０６の処理により、静止画Ｎ，Ｎ±ｄ，Ｎ±２ｄ，Ｎ＋３ｄ夫々の間で、輝度が明るく又は暗く変化した画素値、即ち画像の変化に係る情報が特定されている。図１４（ｃ）は、図１４（ａ）及び図１４（ｂ）の画像が有する画素値の加算平均値を画素毎に有する画像を示しており、ステップＳ３０７により生成される画像に相当する。
【０１０２】
実施の形態３に係る動画撮像装置にあっては、図１４（ｃ）に示すように、静止画Ｎ，Ｎ±ｄ，Ｎ±２ｄ，Ｎ＋３ｄの変化に関する特徴を１つの画像により表すことができる合成静止画を生成することができる。
【図面の簡単な説明】
【０１０３】
【図１】本発明に係る静止画抽出装置を備える動画撮像装置を模式的に示す略示斜視図である。
【図２】動画撮像装置の構成を示すブロック図である。
【図３】静止画の抽出及び記録に係る制御部の処理手順を示すフローチャートである。
【図４】静止画の抽出及び記録に係る制御部の処理手順を示すフローチャートである。
【図５】静止画の抽出及び記録に係る制御部の処理手順を示すフローチャートである。
【図６】図５に示す処理によって記録媒体に記録される静止画ファイル及び記録媒体のディレクトリ構造を示す概念図である。
【図７】本発明に係る並置画像作成部により作成された並置画像の模式図である。
【図８】並置画像として表示される複数の静止画間の時間間隔を段階的に短くして並置画像を再表示した場合の縮小画像の模式図である。
【図９】実施の形態２に係る動画撮像装置が備える制御部の処理手順を示すフローチャートである。
【図１０】合成する５つの静止画の縮小画像、及び５つの静止画を合成した合成静止画の模式図である。
【図１１】実施の形態３に係る動画撮像装置が備える制御部の処理手順を示すフローチャートである。
【図１２】実施の形態３の処理によって合成される静止画を示す説明図である。
【図１３】実施の形態３の処理によって合成される静止画を示す説明図である。
【図１４】加算平均される画素値を有する画像及び合成された画像を示す説明図である。
【符号の説明】
【０１０４】
３  媒体装着部
４  表示部
５ａ  メニュー表示ボタン
５ｂ  再生ボタン
５ｃ  停止ボタン
５ｄ  指定ボタン
５ｅ  十字キー
５ｆ  決定ボタン
５ｇ  キャンセルボタン
５ｈ  静止画記録ボタン
５ｉ  電源スイッチ
６  動画出力部
１０  レンズ
１１  筐体
２０  制御部
２１  撮像素子
２２  タイミングジェネレータ
２３  撮像信号処理部
２４  ワークメモリ
２５ａ  画像処理部
２５ｂ  ビデオコーデック部
２５ｃ  ビデオコントローラ
２５ｄ  記録再生部
２５ｅ  並置画像作成部
２６  Ｉ／Ｏ部
４０  カーソル
【図１】
2006005856.tif 000003
【図２】
2006005856.tif 000004
【図３】
2006005856.tif 000005
【図４】
2006005856.tif 000006
【図５】
2006005856.tif 000007
【図６】
2006005856.tif 000008
【図７】
2006005856.tif 000009
【図８】
2006005856.tif 000010
【図９】
2006005856.tif 000011
【図１０】
2006005856.tif 000012
【図１１】
2006005856.tif 000013
【図１２】
2006005856.tif 000014
【図１３】
2006005856.tif 000015
【図１４】
2006005856.tif 000016